(57)【要約】【課題】空気調和機の左右方向に配線される線材の固定を容易に行なうことができる構造を提供する。【解決手段】熱交換器８８の上面に配置された遮風板１を矩形の鋼板の端部を前後及び左右に折曲して形成し、さらに、長手方向に断面Ｖ字型の溝１ａを折り曲げにより形成し、左右の側面に固定用のネジを挿通する挿通孔１ｂを備えた構造とする。そして、溝１ａの一方の斜面に、所定の間隔で溝１ａの底面から上方に向かって複数の切起片１ｃを設け、この溝１ａに線材７０を落とし込み、切起片１ｃで線材７０を係止する。【選択図】  図１
2004317051.tif 000002
【特許請求の範囲】
【請求項１】
前面が開放されたベースの前面上部に装着され、吸込口を形成する吸込グリルを備えた上面カバーと、前面下部に装着され、吹出口を備え前部に行くに従って上方に湾曲させた前面カバーと、前記吸込口と前記吹出口とを結ぶ空気通路内の前記ベースに配設され、前部熱交換器と後部熱交換器とで逆Ｖ字状に形成された熱交換器と、同熱交換器の上部に配設され、前記前部熱交換器と後部熱交換器との当接部分の隙間の通風を遮蔽する遮風板と、前記空気通路に配設された送風ファンと、前記前部熱交換器の直下に配設され、同前部熱交換器の表面から滴下される凝縮水を受けるドレンパンと、前記熱交換器の一方の側面に隣接して配置された電装品部と、他方の側面に隣接して配置され、前記電装品部に制御される電気機器ユニットと、前記電装品部と前記機器電気ユニットとを電気的に接続する線材とを備えてなる空気調和機において、
前記遮風板に同遮風板の長手方向に配線された前記線材を固定するための固定部を設けてなることを特徴とする空気調和機。
【請求項２】
前記固定部は、前記遮風板の長手方向に形成された断面Ｖ字型の溝と、同溝の一方の斜面に所定の間隔で前記溝の底面から上方に向かって切り起こされた複数の切起片とからなることを特徴とする請求項１記載の空気調和機。
【請求項３】
前記固定部は、前記遮風板の後部に所定間隔で形成された複数の断面Ｌ字型のフックからなることを特徴とする請求項１記載の空気調和機。
【発明の詳細な説明】
【０００１】
【発明の属する技術分野】
本発明は、空気調和機に係わり、より詳細には、室内機の熱交換器を挟んで左右に配置された電気機器ユニットを接続する配線の固定構造に関する。
【０００２】
【従来の技術】
従来、空気調和機の室内機は、図３の断面図に示すように、室内機８０の前面が開放されたベース８１の前面上部に、吸込口８２を形成する吸込グリル８３を備えた上面カバー８４を装着し、また前面下部に、吹出口８５を備え前部に行くに従って上方に湾曲させた前面カバー８６をそれぞれ装着している。
この吸込口８２と吹出口８５とを結ぶ空気通路に、ベース８１の支持部に側板８７が固定された前部熱交換器８８ａと後部熱交換器８８ｂとで逆Ｖ字状に構成された熱交換器８８と、送風ファン８９とを配設している。
【０００３】
そして、熱交換器８８の上面には、前部熱交換器８８ａと後部熱交換器８８ｂとの当接部分（逆Ｖ字状の頂点）からの吸込みを防止するための遮風板７３が固定されている。この遮風板７３は図４の要部斜視図に示すように、矩形の鋼板の端部を前後及び左右に折曲し、左右の側面に備えられた挿通孔７３ａにネジ７４を挿通し、熱交換器８８の側面に螺着する構造となっている。
【０００４】
一方、図３に示すように、前部熱交換器８８ａの直下に配設され、同前部熱交換器８８ａの表面から滴下される凝縮水（図示せず）を受けるドレンパン９０の開放口の前端部９０ａが、上面カバー８４の前面端部８４ａにネジ９６で固定されている。
また、ベース８１の一部からなり、吹出口８５の上面を形成する断面逆Ｌ字型の上部吹出口壁９１の側壁上部に、ドレンパン９０の後端部９０ｂが、また上部吹出口壁９１の底壁に、ドレンパン９０の底部から垂下されたフランジ９０ｃがそれぞれ当接している。
そして、ドレンパン９０の前面側の側壁には、線材７０を保持するための断面Ｌ字型のフック９０ｄが備えられている。この線材７０は図５の斜視図に示すように、室内機８０の熱交換器８８の一方の側面に隣接して配置され、空気調和機の制御を行なう電装品部７１から、他方の側面に隣接して配置された電気機器ユニットであるドレンポンプ部７２を制御するための電源ケーブルや信号ケーブルである（例えば、特許文献１参照。）。
【０００５】
しかしながら、制御部７１からドレンポンプ部７２へ配線を行なうためには、上面カバー８４だけでなく前面カバー８６も同時に取り外す必要があり、また、ドレンパン９０の付近は結露を防止するために断熱材が必要となることもあり、保守作業がやりにくいという問題があった。
【０００６】
【特許文献１】
実開昭６２−１９５２７号公報  （第３−４頁、第１図）
【０００７】
【発明が解決しようとする課題】
本発明は以上述べた問題点を解決し、空気調和機の左右方向に配線される線材の固定を容易に行なうことができる構造を備えた空気調和機を提供することを目的としている。
【０００８】
【課題を解決するための手段】
本発明は、上記問題点を解決するため、前面が開放されたベースの前面上部に装着され、吸込口を形成する吸込グリルを備えた上面カバーと、前面下部に装着され、吹出口を備え前部に行くに従って上方に湾曲させた前面カバーと、前記吸込口と前記吹出口とを結ぶ空気通路内の前記ベースに配設され、前部熱交換器と後部熱交換器とで逆Ｖ字状に形成された熱交換器と、同熱交換器の上部に配設され、前記前部熱交換器と後部熱交換器との当接部分の隙間の通風を遮蔽する遮風板と、前記空気通路に配設された送風ファンと、前記前部熱交換器の直下に配設され、同前部熱交換器の表面から滴下される凝縮水を受けるドレンパンと、前記熱交換器の一方の側面に隣接して配置された電装品部と、他方の側面に隣接して配置され、前記電装品部に制御される電気機器ユニットと、前記電装品部と前記機器電気ユニットとを電気的に接続する線材とを備えてなる空気調和機において、
前記遮風板に同遮風板の長手方向に配線された前記線材を固定するための固定部を設ける。
【０００９】
また、前記固定部を、前記遮風板の長手方向に形成された断面Ｖ字型の溝と、同溝の一方の斜面に所定の間隔で前記溝の底面から上方に向かって切り起こされた複数の切起片とからなる構造とする。
【００１０】
また、前記固定部を、前記遮風板の後部に所定間隔で形成された複数の断面Ｌ字型のフックからなる構造とする。
【００１１】
【発明の実施の形態】
以下、図面に基づいて本発明による空気調和機を詳細に説明する。図１は本発明による空気調和機の第一の実施例を示す、（Ａ）は要部断面図、（Ｂ）は要部斜視図である。従来例と同じ部分については同じ符号を付与し、詳細な説明を省略する。
【００１２】
図１（Ａ）に示すように熱交換器８８の上面には、前部熱交換器８８ａと後部熱交換器８８ｂとの当接部分（逆Ｖ字状の頂点）からの吸込みを防止するための遮風板１が固定されている。
この遮風板１は図１（Ｂ）の要部斜視図に示すように、矩形の鋼板の端部を前後及び左右に折曲するとともに、長手方向に断面Ｖ字型の溝１ａを折り曲げにより形成し、左右の側面に固定用のネジを挿通する挿通孔１ｂを備えた構造となっている。
そして、溝１ａの一方の斜面には、所定の間隔で溝１ａの底面から上方に向かって複数の切起片１ｃが設けられている。従ってこの溝１ａに線材７０を落とし込み、切起片１ｃで線材７０を係止することができる。この溝１ａと切起片１ｃとが本願の特徴である固定部である。
【００１３】
このように、熱交換器８８の上面に配置された遮風板１に線材７０を固定することにより、配線作業が容易となり、また、従来例のように前面カバーを取り外す必要がない。
また、断面Ｖ字型の溝１ａに線材７０を落とし込むことにより、Ｖ字型の底部に線材７０が配置されるため、配線を所定の位置に配置することが容易となる。さらに、切起片１ｃを溝１ａの底面から上方に向かって切り起こす構造としているため、切起孔１ｄを線材７０が塞ぐことになり、切起孔１ｄによる遮風効果の低減を防止することができる。
また、図示しないが、切起片１ｃを設けない構造とし、溝１ａに線材７０を落とし込み、上方から断熱材で線材７０を押さえ込むようにしてもよい。
【００１４】
図２は本発明による空気調和機の第二の実施例を示す、（Ａ）は断面図、（Ｂ）は要部斜視図である。
図２（Ａ）に示すように熱交換器８８の上面には、前部熱交換器８８ａと後部熱交換器８８ｂとの当接部分（逆Ｖ字状の頂点）からの吸込みを防止するための遮風板２が固定されている。
この遮風板２は図２（Ｂ）の要部斜視図に示すように、矩形の鋼板の端部を前方向及び左右に折曲するとともに、後部に断面Ｌ字型のフック２ａを折り曲げにより所定間隔で複数個形成し、左右の側面に固定用のネジを挿通する挿通孔２ｂを備えた構造となっている。このフック２ａが本願の特徴である固定部である。
そして、このフック２ａに線材７０を落とし込んで線材７０を係止する。フック２ａの先端は内側に折曲されており、落とし込まれた線材７０が容易に脱落しない構造となっている。
【００１５】
このような構造により、前部熱交換器８８ａと後部熱交換器８８ｂとの接合部分（逆Ｖ字状の頂点）に隙間がなくても線材７０を固定することができ、多様なな熱交換器８８の構造に対応することができる。
また、この実施例ではフックを後部に備えた例を説明しているが、本願はこれに限るものではなく、前面側に設けても同じ効果を奏する。
また、本願では遮風板の材質を鋼板として説明しているが、以上説明した構造であれば合成樹脂で形成してもよい。
【００１６】
【発明の効果】
以上説明したように、本発明による空気調和機によれば、請求項１に係わる発明は、遮風板に同遮風板の長手方向に配線された線材を固定するための固定部を設けることにより、室内機の左右への配線作業が容易となり、また、従来例のように前面カバーを取り外す必要がない。
【００１７】
また、請求項２に係わる発明は、固定部が、遮風板の長手方向に形成された断面Ｖ字型の溝と、同溝の一方の斜面に所定の間隔で溝の底面から上方に向かって切り起こされた複数の切起片とからなることにより、切起孔を線材が塞ぐことになり、切起孔による遮風効果の低減を防止することができる。
【００１８】
また、請求項３に係わる発明は、固定部が、遮風板の後部に所定間隔で形成された複数の断面Ｌ字型のフックからなることにより、前部熱交換器と後部熱交換器との接合部分に隙間がなくても線材を固定することができ、色々な熱交換器の構造に対応することができる。
【００１９】
【図面の簡単な説明】
【図１】本発明による空気調和機の第一の実施例を示す、（Ａ）は要部断面図、（Ｂ）は要部斜視図である。
【図２】本発明による空気調和機の第二の実施例を示す、（Ａ）は断面図、（Ｂ）は要部斜視図である。
【図３】従来の空気調和機を示す断面図である。
【図４】従来の空気調和機を示す斜視図である。
【図５】従来の空気調和機を示す斜視図である。
【符号の説明】
１  遮風板
１ａ  溝
１ｂ  挿通孔
１ｃ  切起片
１ｄ  切起孔
２  遮風板
２ａ  フック
２ｂ  挿通孔
７０  線材
８８  熱交換器
８８ａ  前部熱交換器
８８ｂ  後部熱交換器
【図１】
2004317051.tif 000003
【図２】
2004317051.tif 000004
【図３】
2004317051.tif 000005
【図４】
2004317051.tif 000006
【図５】
2004317051.tif 000007